(57)【要約】【課題】ランニングコストが低廉な標的装置を提供することである。【解決手段】赤外線放射手段と赤外線反射手段とを具備した標的装置であって、前記赤外線放射手段は水平方向に設けられ、前記水平方向に設けられた赤外線放射手段から放射された赤外線を反射する前記赤外線反射手段を構成する反射板が、傾斜して設けられてなる。【選択図】  図１
2009047345.tif 000002
【特許請求の範囲】
【請求項１】
赤外線放射手段と赤外線反射手段とを具備した標的装置であって、
前記赤外線放射手段は水平方向に設けられ、
前記水平方向に設けられた赤外線放射手段から放射された赤外線を反射する前記赤外線反射手段を構成する反射板が、傾斜して設けられてなる
ことを特徴とする標的装置。
【請求項２】
赤外線放射手段と赤外線反射手段とを具備した標的装置であって、
前記赤外線放射手段と前記赤外線反射手段とは、該赤外線放射手段で放射された全ての赤外線が該赤外線反射手段で反射されて入射方向とは異なる方向に出射されるよう構成されてなる
ことを特徴とする標的装置。
【請求項３】
赤外線反射手段を介して出射される赤外線が特定の形を表すものとなるよう赤外線制御手段を更に具備することを特徴とする請求項１又は請求項２の標的装置。
【請求項４】
赤外線放射手段から放射された赤外線を遮蔽するシャッタ手段を更に具備することを特徴とする請求項１〜請求項３いずれかの標的装置。
【発明の詳細な説明】
【技術分野】
【０００１】
本発明は、例えば射撃訓練用の標的装置に関する。
【背景技術】
【０００２】
射撃訓練用の標的装置が本願出願人によって提案されている。
例えば、水面に浮かぶ浮体と、この浮体上に設置され、赤外線放射率の良い材料で内部に空間を有する３次元形状に形成され外方に赤外線を放射する赤外線放射体及びこの赤外線放射体から赤外線を放射させるためにその内部を加熱する手段を有する複数個の赤外線放射装置と、外部からの指令信号を受信して上記赤外線放射装置の動作を遠隔制御する遠隔制御装置とを備えて成ることを特徴とする赤外線放射洋上標的が提案（特開平１０−１９４９８号公報）されている。
【０００３】
又、赤外線透過膜と空間をおいて断熱層を設け、前記空間に熱源と熱源から発生する赤外線を赤外線透過膜を通じて外方へ放射する赤外線放射器において、断熱層と、断熱層に対向して空間をおいて配設された赤外線透過膜と、断熱層の面に重ねて帯状であって間隔をあけて並設された複数の発熱体と、夫々の発熱体の両側の傍において発熱体に沿って前記空間に配設され発熱体の発生する赤外線を反射して赤外線透過膜を通じて前記空間の外部へ放射するための反射部材と、を有することを特徴とする赤外線放射器が提案（特開２０００−２９７９９９号公報）されている。
【特許文献１】特開平１０−１９４９８号公報
【特許文献２】特開２０００−２９７９９９号公報
【発明の開示】
【発明が解決しようとする課題】
【０００４】
上記提案の標的装置は優れた特長を奏するものであるが、使用している中に、幾つかの問題点が残されていることが判って来た。
【０００５】
すなわち、標的は赤外線を放出しているのであるが、この赤外線を放出する為のランニングコストが高く付いていることである。つまり、赤外線は加熱によって放射される。ところが、赤外線放射部に風が作用すると、これによって温度低下が引き起こされる。従って、赤外線の放射量が減少し、射撃訓練性が低下する。これを防止しようとすると、風力による温度低下を補償する為、加熱源の温度を一層高くせざるを得ない。と言うことは、加熱エネルギーが益々必要となり、コストが高く付く。
【０００６】
又、標的自体が射撃により被弾した場合、赤外線放射部そのものが破損してしまい、その交換・補修コストが高く付いている。
【０００７】
従って、本発明が解決しようする課題は、ランニングコストが低廉な標的装置を提供することである。
【課題を解決するための手段】
【０００８】
前記の課題は、
赤外線放射手段と赤外線反射手段とを具備した標的装置であって、
前記赤外線放射手段は水平方向に設けられ、
前記水平方向に設けられた赤外線放射手段から放射された赤外線を反射する前記赤外線反射手段を構成する反射板が、傾斜して設けられてなる
ことを特徴とする標的装置によって解決される。
【０００９】
又、赤外線放射手段と赤外線反射手段とを具備した標的装置であって、
前記赤外線放射手段と前記赤外線反射手段とは、該赤外線放射手段で放射された全ての赤外線が該赤外線反射手段で反射されて入射方向とは異なる方向に出射されるよう構成されてなる
ことを特徴とする標的装置によって解決される。
【発明の効果】
【００１０】
赤外線放射手段を水平方向に設け、そして水平方向に設けられた赤外線放射手段から放射された赤外線を反射する反射板を傾斜（水平面に対して傾斜）して設けたならば、赤外線は水平方向あるいは斜上方向に反射されるようになる。その結果、水平方向あるいは斜上方向に反射・放出された赤外線をキャッチして射撃が行なわれた場合、命中しても損傷するのは反射板であり、赤外線放射手段そのものは損傷しない。従って、射撃訓練後に交換するのは反射板で済むから、補修コストが低廉である。
【００１１】
又、赤外線放射手段が水平方向に設けられていると、風が当るにしても、その割合は少ない。従って、風が当ることで起きる温度低下は少なく、赤外線放射の為の温度を必要以上に高くしなくても済む。このことは、エネルギー消費量が少ないことを意味し、それだけランニングコストが低廉になる。
【発明を実施するための最良の形態】
【００１２】
本発明は、例えば射撃訓練用の標的装置である。そして、赤外線放射手段と赤外線反射手段とを具備する。赤外線放射手段と赤外線反射手段とは、例えば赤外線放射手段で放射された全ての赤外線が赤外線反射手段で反射されて入射方向とは異なる方向に出射されるよう構成されてなる。特に、赤外線放射手段を水平方向に設け、この水平方向に設けられた赤外線放射手段から放射された赤外線を反射する反射板（赤外線反射手段を構成する反射板）を傾斜して設けたものである。これによって、水平方向に一次元的あるいは二次元的に広がって設けられた熱源（赤外線などの赤外線放射手段）から上に向かって放射された赤外線は、傾斜した反射板によって、例えば水平方向あるいは斜上方向に反射されるようになる。その結果、水平方向あるいは斜上方向に反射・放出された赤外線をキャッチして射撃が行なわれた場合、命中しても損傷するのは反射板であり、赤外線放射手段そのものは殆ど損傷しない。従って、射撃訓練後に交換・補修するのは、ほぼ、反射板で済むから、補修コストが低廉である。又、赤外線放射手段を水平方向に設けていると、風が当るにしても、その割合は少ない。従って、風が当ることで起きる温度低下は少なく、赤外線放射の為の加熱を必要以上に多くしなくても済み、エネルギー消費量が少ないことから、それだけランニングコストが低廉になる。更には、例えば赤外線放射体を垂直方向に設けている場合、それだけ風が当り易く、風が当ることによって生じる温度低下を防止する為、保温材を多く必要とするようになり、このようにすると重量も増し、移動性が悪くなるが、赤外線などの赤外線放射手段を水平面的に設けた場合、このような問題も少ない。しかも、赤外線放射体を垂直方向に設けた場合、上下の位置の差で温度ムラが出来易く、従って放射される赤外線などの量にもムラが出来るものとなり、赤外線をキャッチすることにより行なわれる射撃訓練性も悪くなる。しかしながら、赤外線放射手段を水平面的に設けた場合、上下の差が少ないことから、温度ムラが少なく、放射される赤外線量にムラが少ないので、赤外線をキャッチすることにより行なわれる射撃訓練性も良い。尚、赤外線放射手段の代わりに電磁波放射手段を、赤外線反射手段の代わりに電磁波反射手段を用いることが出来る。すなわち、赤外線の代わりに他の電磁波を用いることも出来る。
【００１３】
本発明は、必要に応じて、赤外線反射手段を介して出射される赤外線が特定の形を表すものとなるよう赤外線制御手段を更に具備する。すなわち、赤外線によって表される形状が戦車などの形状であるように制御されていると、射撃対象物が明確になり、射撃訓練性が良い。尚、この赤外線制御手段は、例えば戦車などの形状を刳り貫いた型板（型板そのものは赤外線遮蔽材料で構成される。）で構成できる。
【００１４】
本発明は、必要に応じて、赤外線放射手段から放射された赤外線を遮蔽するシャッタ手段を更に具備する。例えば、熱源の温度を瞬間的に低下させるのは困難である。従って、赤外線の放射を瞬間的に停止させることが出来難い。これでは、赤外線放射オン・オフを瞬間的に制御でき難く、効果的な射撃訓練には供し難い。そこで、瞬間的な訓練にも役立つようにする為には、赤外線を瞬間的に遮蔽できるシャッタ手段を備えさせておくことが好ましい。すなわち、シャッタの開閉によって、赤外線の放射・停止を瞬間的に制御できる。
【００１５】
以下、本発明の標的装置について詳しく説明する。
図１及び図２は、本発明になる標的装置の概略側面図および概略正面図である。
【００１６】
各図中、Ｘは標的装置である。
１は、二次元的な広がりを有する電熱シート（電気抵抗が大きな線を、例えば九十九折状に配設した電熱シート）である。この電熱シート１は、その主面が、図１からも判る通り、水平方向に配置されている。特に、偏平状の函２内において、電熱シート１の主面が水平方向であるように配置されている。すなわち、函２に電熱シート１を内蔵させることによって、外気の影響が少なくなっている。そして、電熱シート１にスイッチオンで電流が流れると、電熱シート１は発熱し、赤外線が放射される。すなわち、電熱シート１から、図１中、垂直上方向に赤外線が放射される。
【００１７】
電熱シート１を内蔵した函２の上面は開口となっているものの、この上面開口部にはシャッタ板３が設けられている。従って、図１に示される如く、シャッタ板３が開いた状態であれば、電熱シート１から放射された赤外線は上方に放射されて行く。しかしながら、シャッタ板３が閉じられると、シャッタ板３は赤外線遮蔽材で構成されているから、赤外線は上方に放射されなくなる。
【００１８】
４は、シャッタ板３の上に配置された型板である。この型板４は、図２に示される如きの戦車をした形の開口が形成されたものである。勿論、この開口の形状は戦車形に限られず、戦闘機、ヘリコプタ、艦艇、武装兵士など適宜な形のものであって良い。そして、型板４は赤外線遮蔽材で構成されていることから、開いたシャッタ板３を通り抜けて来た赤外線は型板４の開口部しか通り抜けることが出来ない。
【００１９】
５は、電熱シート１の主面に対して傾斜して配設された赤外線反射板である。図１では、電熱シート１の主面に対してπ／４の角度で設けられていることから、下側から上側に放射されて来た赤外線は水平方向に反射されるものとなる。尚、図示されていないが、反射板５の傾斜角度を調整できる角度調整手段を備えている。
【００２０】
６は、反射板５の一端を保持する型枠である。７は、標的装置Ｘを自走せしめる台車である。
【００２１】
上記の如くに構成させた標的装置を用いた射撃訓練は次のようにして行なわれる。先ず、射撃訓練対象の図形が刳り貫かれた型板４をシャッタ板３の上に配置すると共に、台車７を目的地に自走させる。そして、電熱シート１に電流が流される。これによって、赤外線が上方に向かって放射される。放射された赤外線は開いたシャッタ板３を通過し、そして型板４の開口部を通り抜ける。この後、反射板５によって反射され、水平方向に出射される。
【００２２】
反射板５で反射された赤外線シルエットを赤外線センサでキャッチした訓練生はキャッチした赤外線方向に向けて射撃を行なう。その結果、反射板５が打ち抜かれることになる。この時、打ち抜かれても、電熱シート１自体が損傷してなければ、赤外線は未だ放射されるから、射撃訓練を続行できる。これに対して、電熱シートを垂直方向に立てて射撃訓練を行なった場合、射撃によって電熱シート自体が打ち抜かれるようになり、この場合には電熱シートそのものの損傷によって赤外線が放射されなくなる場合が多く、そうすると射撃訓練には使用できなくなる。従って、このような観点からしても、電熱シート１を水平面内に配置することの意味合いは大きい。
【図面の簡単な説明】
【００２３】
【図１】本発明になる標的装置の概略側面図
【図２】本発明になる標的装置の概略正面図
【符号の説明】
【００２４】
Ｘ      標的装置
１      電熱シート（赤外線放射手段）
２      偏平状の函
３      シャッタ板（シャッタ手段）
４      型板（赤外線制御手段）
５      赤外線反射板
特許出願人  日本飛行機株式会社  
代  理  人  宇  高      克  己  
【図１】
2009047345.tif 000003
【図２】
2009047345.tif 000004